(57)【要約】【課題】  繊維スラリー中の繊維フレークを減少させるためのデフレーカーに使用されるデフレーカープレートを提供する。【解決手段】  デフレーカープレートは、複数の歯から成る少なくとも一つの円環状リングを備え得る。少なくとも一つの歯は、リーディング面、トレーリング面、およびインパクト発生サイド面を備える。インパクト発生サイド面は、運転の際にインパクト力を発生するように適応させ得るので、その力は、デフレーカーの中央部に向かってスラリーを半径方向に押す第一力ベクトルとリーディング面に向かってスラリーを接線方向に押す第二力ベクトルとに対応する。【選択図】  図１
2010255172.tif 000002
【特許請求の範囲】
【請求項１】
繊維スラリー中の繊維フレークを減少させるためのデフレーカーに使用されるデフレーカープレートにおいて、
多数の歯から構成される少なくとも一つの円環状リングであって、
リーディング面、トレーリング面、およびインパクト発生サイド面を有する少なくとも一つの歯を含む少なくとも一つの円環状リングを含み、
前記インパクト発生サイド面が、デフレーカーの中央部に向かってスラリーを半径方向に押す第一力ベクトルとリーディング面に向かってスラリーを接線方向に押す第二力ベクトルとを有するインパクト力を発生するように適応されていることを特徴とするデフレーカープレート。
【請求項２】
少なくとも一つの歯の耐久性または安定性を向上させるために、少なくとも一つの歯が、デフレーカープレートの上に少なくとも一つの歯を支持する実質的に立方体のベース部分を備える、請求項１に記載のデフレーカープレート。
【請求項３】
リーディング面またはトレーリング面が実質的に台形である、請求項１に記載のデフレーカープレート。
【請求項４】
リーディング面が、第一表面積を有し、トレーリング面が第二表面積を有し、第二表面積が第一表面積より大きい、請求項３に記載のデフレーカープレート。
【請求項５】
リーディング面またはトレーリング面が実質的に三角形である、請求項１に記載のデフレーカープレート。
【請求項６】
インパクト発生サイド面が、鋸歯状の表面を有する、請求項１に記載のデフレーカープレート。
【請求項７】
インパクト発生サイド面が、少なくとも一つの曲線部分を含む曲線からなる表面を備える請求項１に記載のデフレーカープレート。
【請求項８】
曲線からなる表面が３つの曲線部分を含む、請求項７に記載のデフレーカープレート。
【請求項９】
インパクト発生サイド面が、リーディング面に近接した第一部分、トレーリング面に近接した第三部分、および第一と第三部分に近接した第二部分を含み、第一部分と第三部分が、リーディング面とトレーリング面の縁に沿って実質的に平坦で、第二部分が、第一部分と第三部分で規定された平面から切り出された部分を含む、請求項１に記載のデフレーカープレート。
【請求項１０】
歯の頂部表面が実質的に平坦でない、請求項１に記載のデフレーカープレート。
【請求項１１】
少なくとも一つの歯が、リーディング面とインパクト発生サイド面の交差で規定された第一リーディング端部と、少なくとも一つの歯の頂部面の交差で規定された頂端部を含み、第一角度が、第一リーディング端部と頂端部との交差で規定され、第一角度が９０°と同じかまたは９０°以上である、請求項１に記載のデフレーカープレート。
【請求項１２】
第一角度が１８０°未満である、請求項１１に記載のデフレーカープレート。
【請求項１３】
第一角度が１１０°超である、請求項１２に記載のデフレーカープレート。
【請求項１４】
繊維スラリー中の繊維フレークを減少させるためのデフレーカーに使用されるデフレーカープレートの相補セットにおいて、
ローターデフレーカープレートとステーターデフレーカープレートとを含み、ローターデフレーカープレートとステーターデフレーカープレート各々が複数の歯から構成される少なくとも一つの円環状リングを含み、
ローターデフレーカープレートとステーターデフレーカープレートの少なくとも片側に設けられた少なくとも一つの円環状リングが、リーディング面、トレーリング面、およびインパクト発生サイド面を有する少なくとも一つの歯を含み、
インパクト発生サイド面が、デフレーカーの中央部に向かってスラリーを半径方向に押す第一力ベクトルとリーディング面に向かってスラリーを接線方向に押す第二力ベクトルとを有するインパクト力を発生するように適応されており、
ローターデフレーカープレートとステーターデフレーカープレートがデフレーカーに取り付けられるとき、ギャップがローターデフレーカープレートとステーターデフレーカープレートの間に規定され、
ギャップが５．０ｍｍ以下のギャップ距離を有することを特徴とするデフレーカープレートの相補セット。
【請求項１５】
ギャップ距離が１．５ｍｍ以下である、請求項１４に記載のデフレーカープレートの相補セット。
【請求項１６】
ギャップ距離が０．４ｍｍ以下である、請求項１４に記載のデフレーカープレートの相補セット。
【請求項１７】
繊維スラリー中の繊維フレークを減少させるためのデフレーカーに使用されるデフレーカープレートを製作する方法において、
デフレーカープレートとしての使用に好適な溶融合金を形成するステップと、
デフレーカープレートの形に溶融合金を鋳造するステップとを含み、
鋳造されたデフレーカープレートが、多数の歯から構成される少なくとも一つの円環状リングを含み、少なくとも一つの円環状リングが、リーディング面、トレーリング面、およびインパクト発生サイド面を含み、前記インパクト発生サイド面が、デフレーカーの中央部に向かってスラリーを半径方向に押す第一力ベクトルとリーディング面に向かってスラリーを接線方向に押す第二力ベクトルとを有するインパクト力を発生するように適応されていることを特徴とするデフレーカープレートの製作法。
【請求項１８】
繊維スラリー中の繊維フレークを減少させるための方法において、
デフレーカープレートの相補セットを含みデフレーカーにスラリーを供給するステップであって、相補デフレーカープレートがローターデフレーカープレートとステーターデフレーカープレートを含み、ローターデフレーカープレートとステーターデフレーカープレート各々が複数の歯から構成される少なくとも一つの円環状リングを含み、ローターデフレーカープレートとステーターデフレーカープレートの少なくとも片側の少なくとも一つの円環状リングが、リーディング面、トレーリング面、およびインパクト発生サイド面を有する少なくとも一つの歯を含み、インパクト発生サイド面が、デフレーカーの中央部に向かってスラリーを半径方向に押す第一力ベクトルとリーディング面に向かってスラリーを接線方向に押す第二力ベクトルとを有するインパクト力を発生するように適応されており、ローターデフレーカープレートとステーターデフレーカープレートがデフレーカーに取り付けられるとき、ギャップがローターデフレーカープレートとステーターデフレーカープレートの間に規定され、ギャップが０．４ｍｍ以下のギャップ距離を有しているステップ、
ローターデフレーカープレートをステーターデフレーカープレートに相対向して回転して、インパクト力を発生させるステップ、および
デフレーカーから第二スラリーを取り出すステップであって、第二スラリーがデフレーカーに供給されたスラリーに含まれるよりも少ない繊維フレークを含有するステップを含むことを特徴とする方法。
【発明の詳細な説明】
【技術分野】
【０００１】
本発明は、一般に、繊維質材料のフレークを減少する装置と方法に関する。例えば、本発明は、損紙取り扱い装置でフレークを減少する用途を始め、クラフトパルプまたは機械パルプおよびリサイクル繊維に含まれる繊維束を離解する際に特別の適応性を有する。
【背景技術】
【０００２】
繊維材（例えば、リグノセルロース材）または紙（例えば、損紙）を個々の繊維に変えることは、懸濁環境で剪断作用の下に繊維マットを個別の繊維に離解することを一般に含む。これは、例えば、機械的リファイナーで２枚のリファイナープレートの間で行うことによって達成し得る。水の存在下で剪断作用を繰り返し加えると、繊維マットは、繊維複合物が破壊され、次第に小さな繊維片になり、遂に個々の繊維レベルにまで破壊される。このポイントで、懸濁物は、完全に「解繊状態」と称し得る。
【０００３】
しかし、完全解繊状態を達成するためにパルプ化装置に使用される時間とエネルギーは、通常、そのような主要な製紙装置に必要な生産にとって禁止的といってもいいほど大きい。実際は、パルプ化装置では、完全解繊に至る前のポイントに進むまでで、通常許される。このポイントで、懸濁物に残存している非解繊部分―「フレーク」と称される―は、通常、その後の特殊工程で除去される。この特殊工程は、完全解繊に至るまで、パルプ化工程より速く、より効率的にし得る。
【０００４】
この特殊工程―デフレーカーを備える―は、デフレーク工程として知られている。例えば、特許文献１を参照のこと。デフレーク（フレーク破壊）は、デフレーカーの回転エレメントが一個または複数個の固定エレメントに相対して回転することによって水力学的剪断フィールドが形成される工程で行われると説明される。この水力学的剪断によって、パルプ化工程後の懸濁物に含まれるフレークの量を減少し得る。パルプ化作用と同様に、フレークを完全に破壊して、一本一本の繊維にするように、フレークに衝撃を繰り返し加える必要性がある。
【０００５】
これらの衝撃は、一般に、デフレーカーのローターとステーターに設けられたいわゆる歯によって生じる。歯は、一般に（ａ）リファイナープレート（例えば、円板または円錐の形状とし得る）と同様な機械の母面に沿って互いのそばで通過または掃過したり、または（ｂ）機械の母面で形成された面の外側で、より複雑な形で噛み合ったりする。
【０００６】
バージョン（ａ）は、比較的簡単で、リファイナープレートでも蜘蛛の巣デザインでも、または穿孔されたプレートを使用しても行い得る。例えば、―ローターとステーターの間の面の接触に一般的な平行関係を存在させることを除いて―どのような特別な要件も必要ではない。従来、バージョン（ｂ）の複雑な幾何学的形状を得るには、デフレーカープレートの噛み合い域に精密な機械加工が必要であった。これまで、この精密機械加工を行うことによって、これらのプレートに要求される信頼性と使用性が適切に解決されてきた。しかし、プレートを機械加工すると、製造コスト高で、歯の相対する面を特殊に設計する技術に制約が生じる。
【０００７】
すなわち、精密機械加工は、デフレーカープレートの設計を本質的に制約する。例えば、機械加工で得られるデフレーカープレートは、円環状リングの形の歯を有するに過ぎない。旋盤は、プレートに同心円の形を切り出しするに過ぎないからである。円を切り出すとき、歯の内側と外側の部分は、同じ円中心を共有する弧度となる。
【先行技術文献】
【特許文献】
【０００８】
【特許文献１】ローゼンフェルド(Rosenfeld)の米国特許第３，３２７，９５２号明細書
【発明の概要】
【発明が解決しようとする課題】
【０００９】
したがって、より効果的な構成のデフレーカープレートに対する技術の必要性が存在し得る。機械加工されないデフレーカープレートに対する技術の必要性も存在し得る。
【課題を解決するための手段】
【００１０】
態様の一つでは、本発明は、デフレーカープレート技術のこれらの実在する欠点を克服し得る。例えば、本発明のある種の態様は、デフレーカープレートの生産を鋳造法で行うこと、および／またはデフレーク（フレーク破壊）の改良（例えば、より効率的に）を容易にするために相対向するプレート表面の設計を改良することを含む。
【００１１】
態様の一つでは、本発明は、一般に、繊維スラリー中の繊維フレークを減少させるデフレーカーに使用されるデフレーカープレートに関する。本発明のデフレーカープレートは、複数の歯から成る円環状リングを少なくとも一つ含む。本発明では、少なくとも１本の歯は、リーディング面とトレーリング面とインパクト発生サイド面を備える。このインパクト発生サイド面は、運転に際してデフレーカーの中央部に向かってスラリーを半径方向に押す第一ベクトルとリーディング面に向かってスラリーを接線方向に押す第二ベクトルに対応するインパクト力を発生するように適応し得る。
【図面の簡単な説明】
【００１２】
【図１】本発明の態様の一つに基づくデフレーカープレートの概略図である。
【００１３】
【図２】本発明の態様の一つに基づくデフレーカープレートの概略図である。
【００１４】
【図３】本発明の態様の一つに基づくロータープレートとステータープレートの概略図である。
【００１５】
【図４】本発明の態様の一つに基づくデフレーカープレート歯の概略図である。
【００１６】
【図５】本発明の態様の一つに基づくデフレーカープレート歯の概略図である。
【００１７】
【図６】本発明の態様の一つに基づくデフレーカープレート歯の概略図である。
【００１８】
【図７】本発明の態様の一つに基づくデフレーカープレート歯の概略図である。
【００１９】
【図８】本発明の態様の一つに基づくデフレーカープレート歯の概略図である。
【００２０】
【図９】本発明の態様の一つに基づくデフレーカープレート歯の概略図である。
【００２１】
【図１０】本発明の態様の一つに基づくデフレーカープレート歯の概略図である。
【００２２】
【図１１】本発明の態様の一つに基づくロータープレートとステータープレートの概略断面図である。
【００２３】
【図１２】本発明の態様の一つに基づくロータープレートとステータープレートの概略斜視図である。
【発明を実施するための形態】
【００２４】
態様の一つでは、本発明は、プレート回転の軸に非平行（および垂直）の歯表面を有するデフレーカープレートに関する。例えば、本発明のデフレーカープレートは、実質的に正方形でなく、むしろ実質的に台形、または実質的に三角形の形状を有する歯を備え得る。すなわち、歯は、各面が三角形または台形の形状であるリーディング面とトレーリング面とを有し得る。本発明のある種の態様の範囲内にあるこれらの形状は、ローターとステーターの歯が掃過工程の際に生じる水力学的衝撃の大きさと方向に影響を与え得る。
【００２５】
ある種の態様では、歯は各々のローターとステーターの周りに１個、２個、３個、またはそれを超える個数（例えば、５個または１０個）の円環状リングを形成し得る。一般に、スラリーは、プレート（好ましくは、互いに対して反対方向に回転し、および／または場合によって幾つかの態様では相異なる周波数または速度で回転する）の中央部から外周の方向に、一般に、半径方向の経路をたどって流れる。繊維フロックは、略半径方向の経路に沿って移動するにつれて、相対して回転する歯が発生する衝撃圧によってデフレークされる。
【００２６】
相対して回転するとは、ステーターに対してはローターが回転していることを称するもので、比較的に言えば固定しているローターと回転するローターを含むどのような構成も含み、場合によってはローターと「ステーター」の双方が回転する構成も含む。ある場合には、「ステーター」とローターとを相異なる速度で同じ方向に回転させることも可能とし得る。
【００２７】
フロックがデフレークされるとき、水力学的衝撃によって、半径方向移動とは一致しない力が発生し得る。すなわち、デフレーカーの中央部に向かってスラリーを押し戻す半径方向ベクトルと回転の方向に対してスラリーを押す接線方向ベクトルとを有する力が発生し得る。両ベクトルの結合ベクトルは、本発明の態様に基づく歯の側面に直交し得る。
【００２８】
好ましい態様では、本発明のデフレーカーは、４〜５％の濃度（コンシステンシー）のスラリーで運転し得る。もっとも、どのような商業的に実施可能な濃度も使用し得る。すなわち、本発明は、デフレークを必要としてデフレーカーを通過させられるスラリーのタイプや濃度には限定されない。
【００２９】
例えば、多様な態様に関して使用に好適な他の繊維スラリーには、（ｉ）ボイラー出口からのホットストック（高温紙料）および（ii）混合プレートの近くの繊維束が含まれる。前者の場合、これらのプレートを使って幾らか残存する未蒸解繊維束の削減が達成され、後者の場合、水力学的衝撃を使って懸濁物が混合されるのである。好適なスラリーの濃度は、デフレーカーに入るスラリーが何処から来るものであるかに依存し１％と１０〜１５％の間で変わり得る。もっとも、設計自体で、剪断力の発生には、スラリーの流動性が必要である。したがって、流体と同様の特性で形成されるどのようなスラリーも使用し得る。
【００３０】
デフレーカープレートは、鉄鋼ベース合金のような好適な材料から製造し得る。好ましい態様では、アンドリッツ（Andritz）ペーパー＆パルプミルサービス社販売の合金ＤＣ１７とＸＰが、本発明のある態様の一つに基づくデフレーカープレートを鋳造するのに特に好適とされる。原則として、どのような好適な合金、例えばステンレス鋼合金、クロム白鉄、Ｎｉ硬化合金などの合金が使用し得る。幾つかの態様では、使用合金は以下の特性、すなわち、３０〜６０ＨＲＣ（平均）の硬度および／または８０〜３５０ＰＳＩ（平均）の４点曲げ試験による曲げ強度を有し得る。
【００３１】
図１は、本発明の態様の一つに基づくデフレーカープレート１０２を示す。図１に関して説明されるとき、また本明細書全体で使用されるとき、用語「デフレーカー」プレートは、ロータープレートまたはステータープレートのいずれについても称し得る。図示のように、デフレーカープレート１０２には、中央部１１０と実質的に円環状のリングを備える。円環状リングは、各々、細砕繊維材のスラリーが略半径方向に中央部１１０からデフレーカープレート１０２の外周に至るまで通過するときに繊維フロックを離解するための複数の歯を備える。図１は、歯１０４から成る第一リング、歯１０６から成る第二リング、および歯１０８から成る第三リングから構成される３個の円環状リングを示す。歯の各リングは、略平坦な表面１１２または１１４で分離されている。分離は、必ずしも平面で行う必要はなく、むしろ相対向するデフレーカープレートを補完、または鏡像化する（例えば、相対向するデフレーカーの歯の先端を鏡像化または補完する）どのような構成も採用し得る。
【００３２】
図１に図示されるように、歯の各円環状リングに設けられる歯の数は、多くても少なくてもよく、歯の配置間隔も、広くしたり狭くしたり、規則的にしたり不規則的にしたりし得る。幾つかの態様では、内側リングの歯の数は、本来的に（by default）最も少ない。そこでは半径が最も小さく、繊維材が「詰まる」傾向が最大だからである。したがって、それらの領域では幾つかの単純歯があるだけである。外側のリングは、半径が増加するので、例えば、より広いオープン域があるので、（有意に）より多くの数の歯を備え得る。歯数は、結局、隣接している歯の間のギャップと歯の幅に依存する。
【００３３】
デフレーカープレートのバランスを取ることによって回転のブレ動きを最小にすることは、幾つかの態様では重要かも知れないが、すべての態様でデフレーカープレートが回転する必要は必ずしもない（例えば、静止したステーターは、デフレーカーに固定されている）。したがって、ある態様では、不規則状に配置された歯が使用し得る。すなわち、幾つかの態様では、実質的に円環状のリングは、歯の大部分と整合しないオフセット歯を一つまたは複数個備え得る。
【００３４】
図２は本発明の態様の一つに基づくデフレーカープレート２０２を示す。図示のように、デフレーカープレート２０２は、中央部２１０と各々複数の歯から成る実質的に円環状のリングを備える。図２は、２個の円環状リング、すなわち、歯２０４から成る第一リングと歯２０６から成る第二リングを示す。２個のリングは、略平坦な表面２１２によって分離されている。
【００３５】
図３は、ステーター３０２とローター３２０を示す。図示のように、ステーターとローターは、互いに他に対する相補物、または鏡像となっており、各々の歯は、デフレーカー運転に際して、互いに接触しないようになっている。一般に、運転に際して、ロータープレートとステータープレートの間には５ｍｍ未満、好ましくは１．５ｍｍ未満のギャップがあるようにし得る。ある種の態様では、０．３〜０．４ｍｍまたはまさに０．１ｍｍの大きさのギャップを達成するのも、可能とし得る。一般に、ギャップが小さければ小さいほど、デフレークに際してスラリーが蒙る剪断が大きくなる。すなわち、小さいギャップによって引き起こされる衝撃によって、デフレーク運転の効率が向上し得る。幾つかの態様では、０．１ｍｍ未満のギャップが、ロータープレートとステータープレートの間に存在し得る（ギャップ距離の測定では、プレートの間の距離は、プレートが静止している間に測定され得る）。
【００３６】
図４は、本発明の態様の一つに基づくデフレーカープレート４０２に設けられたデフレーカープレート歯４０４を示す。図示のように、デフレーカープレート歯４０４は、リーディング面４８０、トレーリング面４８２、およびインパクト発生サイド面４８４を備える。各歯４０４は、略平坦な表面４６４によって分離されている。表面４６４は、デフレーカープレート４０２の半径に沿って略平面となっている。図示のように、リーディング面４８０とトレーリング面４８２は両方とも実質的に台形で、略平坦な表面４６４から測定されるとき実質的に同じ高さである。すなわち、頂部表面４６２は、実質的に略平坦な表面４６４の面に実質的に平行な面にある。インパクト発生サイド面４８４は、デフレーカーの中央部に向かってスラリーを半径方向に押し戻す力とリーディング面に向かってスラリーを接線方向に押す力の両方の力を発生させる表面を備える。両力の結合ベクトルは、インパクト発生サイド面４８４の表面に直交し得る。図示のように、頂部表面４６２は、台形と同じでないにしても同様な形である。リーディング面とトレーリング面は、各々個別的に実質的に三角形とし得るし、リーディング面とトレーリング面は、必ずしも互いに同じ形とする必要はない。頂部表面４６２の形は、インパクト発生サイド面４８４の表面の形に大きく支配される。
【００３７】
図５は、デフレーカープレート歯５０６を示す。図示のように、デフレーカープレート歯５０６は、リーディング面５８０、トレーリング面５８２、およびインパクト発生サイド面５８４を備える。図示のように、リーディング面５８０とトレーリング面５８２は両方とも実質的に台形で、略平坦な表面４６４から測定されるとき実質的に同じ高さである。一般に、平坦な表面５７０は、デフレーカープレート（数字は付せず）の半径に沿って大略平面である。すなわち、頂部表面５６２は、略平坦な表面５７０の面に実質的に平行である。インパクト発生サイド面５８４は、デフレーカーの中央部に向かってスラリーを半径方向に押し戻す力と歯のリーディング面に向かってスラリーを接線方向に押す力の両方の力を発生させる鋸歯状表面を有する。この鋸歯状構成を採用すると、各歯でマイクロ衝撃を発生することが容易になる。
【００３８】
図６は、デフレーカープレート歯６０６を示す。図示のように、デフレーカープレート歯６０６は、リーディング面６８０、トレーリング面６８６、およびインパクト発生サイド面６８４を備える。図示のように、リーディング面６８０とトレーリング面６８６は両方とも実質的に台形で、略平坦な表面６７０から測定されるとき実質的に同じ高さである。すなわち、頂部表面６６２は、略平坦な表面６７０の面に実質的に平行である。インパクト発生サイド面６８４は、デフレーカーの中央部に向かってスラリーを半径方向に押し戻す力と歯のリーディング面に向かってスラリーを接線方向に押す力の両方を発生させる表面を有する。頂部表面６６２は、その形は本発明のある種の態様では大部分は無関係であるが、実質的に台形（そしてほぼ三角形である）である。図示のように、インパクト発生サイド面６８４は、複数の部分から成り得るので、インパクト発生サイド面６８４は、平坦な面を交差させることによって形成される。
【００３９】
図７は、デフレーカープレート歯７０６を示す。図示のように、デフレーカープレート歯７０６は、リーディング面７８０、トレーリング面７８６、およびインパクト発生サイド面７８４を備える。図示のように、リーディング面７８０とトレーリング面７８６は両方とも実質的に台形で、略平坦な表面７７０から測定されるとき実質的に同じ高さである。すなわち、頂部表面７６２は、略平坦な表面７７０の面に実質的に平行な面である。インパクト発生サイド面７８４は、デフレーカーの中央部に向かってスラリーを半径方向に押し戻す力と歯のリーディング面に向かってスラリーを接線方向に押す力の両方を発生させる表面を有する。
【００４０】
図示のように、インパクト発生サイド面７８４は、第一曲面部分７８５、第二曲面部分７８７、および第三曲面部分７８９を含む曲面状表面を有する。これらの部分を合わせて、インパクト発生サイド面の特異表面が規定される。幾つかの場合では、これらの表面は実質的にパラボラ状（放物線状）とし得る。
【００４１】
デフレーカープレート歯７０６は、また、実質的に台形、または四角形（および他の態様でも同様に存在し得るが）とし得るベースの部分７９１を備える。このベース部分は、デフレーカープレート歯の耐久性および／または安定性を向上させ得る。ベース部分は、どのような形（例えば、実質的に長方形）でもよい。
【００４２】
プレートが鋳造される場合は、ベースと歯は同じ材料から作られるのが普通である。しかし、歯がベースに接合あるいは溶接される場合は、相異なる材料が様々な態様で可能である。バーの高さは数ｍｍから２５ｍｍまたは３０ｍｍ（または他の態様ではそれ以上）とし得る。最大適用可能歯高は、デフレーカーの設計（調整メカニズム、プレートの全厚）と使用材料の破壊強度とに依存する。当業者なら理解することであるが、歯の寸法に係わるバリエーションの数は、具体的な用途に依存する。
【００４３】
図８は、デフレーカープレート歯８０６を示す。図示のように、デフレーカープレート歯８０６は、リーディング面８８０、トレーリング面８８６、およびインパクト発生サイド面８８４を備える。図示のように、リーディング面８８０とトレーリング面８８６は両方とも実質的に台形で、略平坦な表面８７０から測定されるとき実質的に同じ高さである。インパクト発生サイド面８８４は、デフレーカーの中央部に向かってスラリーを半径方向に押し戻す力とリーディング面に向かってスラリーを接線方向に押す力の両方を発生させる表面を有する。インパクト発生サイド面８８４は、リーディング面８８０に近接した第一部分８８５、トレーリング面８８６に近接した第三部分８８９、および第一と第三部分に近接した第二部分８８７から成る三つの部分を有する。第一部分と第三部分は、実質的に、リーディング面面８８０とトレーリング面８８６の縁に沿って実質的に平坦で、一方、第二部分は、その平坦な表面から切り出された実質的に半柱状の部分を形成している。この態様では、歯８０６の頂部表面は実質的に平面でなくともよい。もっとも、歯８０６の部分は、略平坦の表面８７０に平行である。
【００４４】
図９はデフレーカープレート歯９０６を示す。図示のように、デフレーカープレート歯９０６は、リーディング面９８０、トレーリング面９８６、およびインパクト発生サイド面９８４を備える。図示のように、リーディング面９８０とトレーリング面９８６は両方とも実質的に台形で、略平坦な表面９７０から測定されるとき実質的に同じ高さである。インパクト発生サイド面９８４は、デフレーカーの中央部に向かってスラリーを半径方向に押し戻す力と歯のリーディング面に向かってスラリーを接線方向に押す力の両方を発生させる表面を有する。インパクト発生サイド面９８４は、図４に示されるインパクト発生サイド面と同様の表面を備え、図９は、デフレーカー歯の２個の円環状リングを示す。図示のように、リーディング面９８０の表面積は、トレーリング面９８６の表面積より小さい。すなわち、トレーリング面９８６はリーディング面９８０より大きい。
【００４５】
図１０は、デフレーカープレート歯１００６を示す。図示のように、デフレーカープレート歯１００６は、リーディング面１０８０、トレーリング面１０８６、およびインパクト発生サイド面１０８４を備える。図示のように、リーディング面１０８０とトレーリング面１０８６は両方とも実質的に台形で、略平坦な表面１０７０から測定されるとき実質的に同じ高さである。インパクト発生サイド面１０８４は、デフレーカーの中央部に向かってスラリーを半径方向に押し戻す力と歯のリーディング面に向かってスラリーを接線方向に押す力の両方を発生させる表面を有する。図示のように、リーディング面１０８０の表面積は、トレーリング面１０８６の表面積より小さい。すなわち、トレーリング面１０８６はリーディング面１０８０より大きい。頂部表面１０４４の一側面は、曲線（すなわち、インパクト発生サイド面１０８４と交差することで規定された側面）で、残りの３側面は、実質的に真っ直ぐで、リーディング面１０８０、トレーリング面１０８６、および外側の表面（参照数字は付与せず）との交差で規定される。デフレーカープレート歯１００６は、デフレーカープレートの最も外側の円環状リングで図示されている。
【００４６】
図１１は、本発明の態様の一つに基づくステータープレート１１２０とロータープレート１１０２の側面図を示す。ロータープレート１１０２は、歯１１６０を備え、ステータープレート１１２０は、歯１１８０を備える。ギャップ１１９２（１．５ｍｍ未満で、最も好ましくは約０．１ｍｍ以下とし得る）が、ローラープレート１１０２とステータープレート１１２０の間に存在する。ギャップ１１９２は、デフレーカーに送られる繊維スラリーを通すためのものである。
【００４７】
歯１１８０は、第一リーディング端部１１９４（インパクト発生サイド面に接続する）、頂端部１１４４（歯１１８０の頂部表面に接続する）、および第二リーディング端１１９６（別のインパクト発生サイド面に接続する）で規定されたリーディング面を有する。第一角度１１３０（端部１１９４と端部１１４４で規定される）は、９０°以上で、第二角度１１３２（端部１１４４と端部１１９６で規定される）も、９０°以上である。これらの角度は、好ましくは、１００°超、１１０°超、１２０°超、１３０°超、または１８０°未満の角度である。
【００４８】
図１２は、本発明の態様の一つに基づくステータープレート１２２０とローラープレート１２０２の斜視図を示す。ローラープレート１２０２は、歯１２６０を備え、ステータープレート１２２０は、歯１２８０を備える。図示のように、ローラープレート１２０２は、ステータープレート１２２０に対して矢印１２９９の方向に動く。
【００４９】
態様の一つでは、したがって、本発明のデフレーカープレートは、ステータープレートとローラープレートの相対向する表面を傾斜させることによって、衝撃ベクトルの方向を新規なものとすることが容易に行われる。このことによって、特定の使用目的（例えば、デフレークが必要な繊維フロックのタイプ）に基づいてデフレーク剪断力を調整することが容易に行い得る。
【００５０】
掃過工程に際して衝撃の方向を変える能力によって、歯の交差ゾーンで処理されている繊維への衝撃を、現在利用可能な設計とは相異なる乱流レベルまでに導く能力を得ることができる。
【００５１】
鋳造技術を適用することによって、デフレーカーの中央部から始まる半径に直角な真っ直ぐの側面が一般に必要な、従来の精密機械加工による設計に較べて、交差ゾーンの長さを延長するのが容易に行い得る。このことによって、歯の安定性が増し、さらに耐久性も増す可能性も生じる。例えば、鋳造された歯は、耐破損性も向上し得る。ある種の態様では、鋳造によって、歯の両側面間のギャップを特定の幅に調整することが（例えば、シム調整を行うことによって）容易に行い得る。このことにより、今度は特定のスラリー組成と濃度に基づいてデフレーク工程を特製または調整する能力を向上し得る。
【００５２】
当業者に知られているどのような好適な鋳造法も使用し得る。例えば、好適なインベストメント鋳造法は、以下のステップの一つ以上を含み得る。（１）マスターパターンを形成する。（２）マスターパターンからマスター鋳型を作る（または最初にマスターパターンを形成せずにマスター鋳型を作る）。（３）パターン（例えば、「ワックス」パターン）を作る。（４）「インベストメント」鋳型（例えば、セラミック鋳型）を形成する。残留ワックス、および／または不純物の除去を含む。（５）例えば、重力、真空圧（例えば、負圧）、正圧、遠心力などを使用して鋳型に溶融金属を注入する。（６）鋳型から凝固した金属を取り出し、次いで所望ならば研摩／艶出し加工する。
【００５３】
しかし、本発明は、鋳造法に限定または規定されないことを理解されるべきである。すなわち、本明細書に記載されたデフレーカープレートを製造するには、どのような製造技術も使用し得る。
【００５４】
本発明は、現在最も実用的で、好ましい態様であると考えられるものに関して記載されているけれども、本発明は、開示された態様に限定されることなく、むしろ反対に、特許請求の範囲に含まれる種々の修正や均等物も包含するものであると理解される。
【符号の説明】
【００５５】
１０２、２０２、４０２…デフレーカープレート
１０４、１０６、１０８、２０４、２０６、４０４、５０６、６０６、７０６、８０６、９０６、１００６、１１６０、１１８０、１２６０、１２８０…歯
１１０、２１０…中央部
１１２、１１４、２１２、４６４、５７０、６７０、７７０、８７０、９７０、１０７０…平坦表面
３０２、１１２０、１２２０…ステータープレート
３２０、１１０２、１２０２…ロータープレート
４６２、５６２、６６２、７６２、１０４４…頂部表面
４８０、５８０、６８０、７８０、８８０、９８０、１０８０…リーディング面
４８２、５８２、６８６、７８６、８８６、９８６、１０８６…トレーリング面
４８４、５８４、６８４、７８４、８８４、９８４、１０８４…インパクト発生サイド面
７８５、７８７、７８９…各々第一、第二、第三曲面部分
７９１…ベース部分
８８５…インパクト発生サイド面の第一部分
８８７…インパクト発生サイド面の第二部分
８８９…インパクト発生サイド面の第三部分
１１４４、１１９４、１１９６…各々頂端部、第一リーディング端部、第二リーディング端部
１１９２…ギャップ
１１３０、１１３２…角度
１２９９…矢印
【図１】
2010255172.tif 000003
【図２】
2010255172.tif 000004
【図３】
2010255172.tif 000005
【図４】
2010255172.tif 000006
【図５】
2010255172.tif 000007
【図６】
2010255172.tif 000008
【図７】
2010255172.tif 000009
【図８】
2010255172.tif 000010
【図９】
2010255172.tif 000011
【図１０】
2010255172.tif 000012
【図１１】
2010255172.tif 000013
【図１２】
2010255172.tif 000014